(57)【要約】【課題】表面部材の平面視の第１の外形と表示モジュールの平面視の第２の外形とが異なっていても、種々の表示画像に切り替えて見栄えのよい表示が行える表示装置を提供する。【解決手段】表示装置１は、可視光が透過可能な材料によって形成された表面部２ａと、表面部２ａの裏側に設けられ、表面部２ａの平面視の第１の外形よりも小さい平面視の第２の外形を有する表示モジュール３と、表面部２ａの裏側に配置され、平面視において第１の外形と第２の外形との間の表面部２ａに向けて光を投影する発光部材４と、を備える。【選択図】図１
2018051091.tif 000002
【特許請求の範囲】
【請求項１】
可視光が透過可能な材料によって形成された表面部材と、
前記表面部材の裏側に設けられ、前記表面部材の平面視の第１の外形よりも小さい平面視の第２の外形を有する表示モジュールと、
前記表面部材の裏側に配置され、平面視において前記第１の外形と前記第２の外形との間の前記表面部材に向けて光を投影する発光部材と、
を備える、表示装置。
【請求項２】
前記発光部材は、前記表示モジュールにおける周辺部の表示色の光を投影できる、請求項１に記載の表示装置。
【請求項３】
前記表面部材と前記発光部材との間に、前記発光部材が投影する光を拡散する光拡散部材をさらに備える、請求項１または２に記載の表示装置。
【請求項４】
前記表面部材は、前記第１の外形の内側を覆う範囲にハーフミラーが配置されている、請求項１〜３のいずれか１項に記載の表示装置。
【請求項５】
前記表示モジュールは、液晶表示モジュールを含む、請求項１〜４のいずれか１項に記載の表示装置。
【請求項６】
請求項１〜５のいずれか１項に記載の表示装置を備える、遊技機。
【請求項７】
請求項１〜５のいずれか１項に記載の表示装置を用いた表示方法であって、
前記表示モジュールにおける周辺部の表示色を切り替えることと、
前記周辺部の前記表示色を切り替える際に、前記表示色に追従して前記発光部材の発光色を切り替えることと、
を備える、表示方法。
【発明の詳細な説明】
【技術分野】
【０００１】
本発明は、表示装置、遊技機、および表示方法に関する。
【背景技術】
【０００２】
種々の装置の操作ボタンあるいはスイッチなどの操作部において、種々の画像を必要に応じて切り替えて表示することが知られている。
例えば、特許文献１には、異なる色に着色され透光性を有する文字が記載されたボタンカバーと、このボタンカバーの裏側から、ボタンカバーに描かれた文字と同系色を発光させることによって、ボタンカバーの表示が切り替えられる操作ボタンユニットを備える遊技機が記載されている。特許文献１におけるボタンカバーの平面視形状は円形である。
【先行技術文献】
【特許文献】
【０００３】
【特許文献１】特開２０１４−１３１６３４号公報
【発明の概要】
【発明が解決しようとする課題】
【０００４】
特許文献１に記載の操作ボタンユニットは、予め、表示する文字がボタンカバーに描かれる必要がある。このため、互いに文字が重なり合う位置には表示することができない。さらに複数の表示文字は、発光色を切り替えることで切り替えられるため、表示文字ごとに表示色が決まっている。このため、表示文字の表示色を変える演出を行うことはできない。発光色は、表示に用いない表示文字の色を隠すことができる色に限られるため、同系色の表示文字は切り替えることができない。
このように、特許文献１に記載の操作ボタンユニットは、表示画像の種類、配置位置、表示色などの自由度をあまり増やすことができないという問題がある。
液晶表示モジュール等の表示デバイスを用いて表示を行うことも考えられるが、汎用的な表示デバイスの平面視外形は矩形である。このため、平面視外形が円形、楕円形などの操作ボタンなどには使いにくいという問題がある。例えば、操作ボタンの外形のみを円形にすると、液晶モジュールの外縁と操作ボタンの外形との間の隙間に画像表示できない余り領域が生じる。この場合、操作ボタンの見栄えが劣ってしまうという問題がある。
表示デバイスの表示領域を操作ボタンの平面視外形に合わせた形状にすることも考えられるが、汎用品に比べて部品コストが格段に高価になるという問題がある。
【０００５】
そこでこの発明は、上述した課題を解決する表示装置、遊技機、および表示方法を提供することを目的としている。
【課題を解決するための手段】
【０００６】
本発明の第１の態様によれば、表示装置は、可視光が透過可能な材料によって形成された表面部材と、前記表面部材の裏側に設けられ、前記表面部材の平面視の第１の外形よりも小さい平面視の第２の外形を有する表示モジュールと、前記表面部材の裏側に配置され、平面視において前記第１の外形と前記第２の外形との間の前記表面部材に向けて光を投影する発光部材と、を備える。
【０００７】
本発明の第２の態様によれば、遊技機は、上記表示装置を備える。
【０００８】
本発明の第３の態様によれば、表示方法は、上記表示装置を用いた表示方法であって、前記表示モジュールにおける周辺部の表示色を切り替えることと、前記周辺部の前記表示色を切り替える際に、前記表示色に追従して前記発光部材の発光色を切り替えることと、を備える。
【発明の効果】
【０００９】
本発明の表示装置、遊技機、および表示方法によれば、表面部材の平面視の第１の外形と表示モジュールの平面視の第２の外形とが異なっていても、種々の表示画像に切り替えて見栄えのよい表示が行える。
【図面の簡単な説明】
【００１０】
【図１】本発明の第１の実施形態の表示装置の一例を示す模式的な平面図およびそのＡ−Ａ断面図である。
【図２】本発明の第２の実施形態の遊技機の一例を示す模式的な斜視図である。
【図３】本発明の第２の実施形態の遊技機の主要部の内部構造を示す模式的な斜視図である。
【図４】図３におけるＢ矢視図である。
【図５】本発明の第２の実施形態の表示装置の模式的な斜視分解図である。
【図６】図４におけるＣ−Ｃ断面図である。
【図７】本発明の第３の実施形態の表示装置の一例を示す模式的な平面図である。
【図８】本発明の第４の実施形態の表示装置の一例を示す模式的な斜視分解図である。
【発明を実施するための形態】
【００１１】
以下では、本発明の実施形態について添付図面を参照して説明する。
すべての図面において、実施形態が異なる場合であっても、同一または相当する部材には同一の符号を付し、共通する説明は省略する。
【００１２】
（第１の実施形態）
本発明の第１の実施形態の表示装置について説明する。
図１（ａ）は、本発明の第１の実施形態の表示装置の一例を示す模式的な平面図である。図１（ｂ）は、図１（ａ）におけるＡ−Ａ断面図である。
【００１３】
図１（ａ）、（ｂ）に示すように、本実施形態の表示装置１は、表示モジュール３、発光部材４、および表示板２を備える。
【００１４】
表示モジュール３は、平面視の矩形状の表示画面３ａ（図１（ｂ）参照）に、画像信号に応じて種々の画像を表示することができる表示デバイスである。表示モジュール３の構成は、複数の画素の表示が画像信号に応じて切り替えられる構成であれば、特に限定されない。
例えば、表示モジュール３は、透過型または反射型の液晶表示素子を含む液晶表示モジュールであってもよい。例えば、表示モジュール３は、有機ＥＬ素子を含む有機ＥＬ表示モジュールであってもよい。以下では、一例として、表示モジュール３が矩形状の画素が矩形格子状に配列されている場合の例で説明する。このため、表示モジュール３の平面視の外形も矩形状である。
ただし、このような表示モジュール３の構成は一例である。例えば、表示モジュール３の画素は、矩形状以外の多角形などの形状であってもよい。表示モジュール３の画素の配列は矩形格子状には限定されず、例えば、三角格子状でもよい。さらに表示モジュール３の画素の形状は、表示位置に応じて形状が異なるモザイク状に形成されていてもよい。
【００１５】
表示モジュール３の各画素は、画像信号に基づいて図示略の配線から供給される駆動信号に応じて表示が切り替えられる。
表示モジュール３の各画素の表示色は、モノクロ表示を含む２色表示でもよい。ただし、表示モジュール３の各画素の表示色は、３色以上の多色表示であることがより好ましい。表示モジュール３の各画素の表示色は、３原色の画素を単位画素として含むフルカラー表示が可能な構成であることがさらに好ましい。
【００１６】
表示モジュール３は、各画素の表示／非表示の切り替え、および表示色の変更などが行われることで、適宜の文字、記号、絵柄、模様、図形、およびこれらのいずれかを組み合わせた画像（以下表示画像という）を表示することができる。表示画像は、全画素が同一色で発色するベタ画像であってもよい。
表示画像は、表示モジュール３の周辺部に沿う領域に少なくとも形成される周辺部画像Ｉ３２と、表示モジュール３の周辺部から離れた領域に形成される中心部画像Ｉ３１とに分けられる。周辺部画像Ｉ３２と中心部画像Ｉ３１とは、同一画像に切り替えられてもよい。
【００１７】
図１（ｂ）に示すように、表示モジュール３は、基板５上に配置されている。表示モジュール３は、基板５に直接的に固定されていてもよいし、固定部材を介して基板５に固定されてもよい。表示モジュール３は、基板５上において。例えば、法線方向などに移動可能に支持されていてもよい。
【００１８】
発光部材４は、表示モジュール３が表示する少なくとも１つの周辺部画像Ｉ３２と同様な色の光を投影できるように構成された光源である。
例えば、発光部材４は、発光量を独立に変更できる３原色の発光素子を含んでもよい。この場合、発光部材４は、各３原色成分の発光素子の発光量を変化させることで可視光の範囲で発光色を変えられる（以下、フルカラー表示と称する）。発光部材４は単体としてフルカラー表示ができてもよいし、複数の組み合わせでフルカラー表示ができてもよい。
発光部材４は、１個でもよいし、複数個でもよい。発光部材４が複数個の場合、各発光部材４は同一の発光が可能であってよい。ただし、表示モジュール３の周辺部の表示色が特定の表示色に決まっている場合には、発光部材４の発色も特定の表示色が表示できるだけでもよい。この場合、各発光部材４の発光色は、同一色でなくてもよい。
本実施形態では、一例として、発光部材４は、表示モジュール３の四辺の外側となる基板５上にそれぞれ１つずつ配置されている。各発光部材４は、単体でフルカラー表示可能な構成とする。
【００１９】
表示板２は、板状の表面部２ａと、表面部２ａの外縁から表面部２ａと交差する方向に延びる筒状の側面部２ｂとを備える。
表面部２ａの平面視の第１の外形は、表示モジュール３の平面視の第２の外形よりも大きい。表面部２ａの平面視形状は、特に限定されない。例えば、表面部２ａの平面視形状は、表示モジュール３よりも大きな矩形、多角形、円形、楕円形、およびこれら以外の種々の二次元図形の形状が用いられてもよい。
【００２０】
表示板２は、基板５上において、平面視で、表示モジュール３および発光部材４を覆う範囲に配置されている。表示板２は、基板５に直接的に固定されていてもよいし、固定部材を介して基板５に固定されてもよい。例えば、表示モジュール３が基板５上に移動可能に支持されている場合、表示板２は表示モジュール３とともに移動可能に支持されてもよい。
【００２１】
表面部２ａは、表示モジュール３の表示画像からの可視光および発光部材４からの可視光が投影される部材である。表面部２ａは、可視光が透過可能な材料で形成される。具体的には、表面部２ａは、ガラス、光透過性の樹脂材料などで形成されてもよい。
ただし、表面部２ａは、透過光の一部が拡散される材料で形成されてもよい。表面部２ａは、半透過性材料、ハーフミラーなどであってもよい。
側面部２ｂは、表面部２ａと同じ材料で形成されてもよいし、異なる材料で形成されてもよい。
表示板２は、単一材料で形成されてもよいし、複合材料で形成されてもよい。複合材料で形成される場合、表面部２ａと側面部２ｂとがそれぞれ別材料で構成されてもよい。
表面部２ａは、表示モジュール３の表示の支障にならなければ、着色されていてもよい。
【００２２】
以下では、一例として、表面部２ａの平面視形状が円形の場合の例で説明する。表面部２ａの外径（側面部２ｂの内径）は、表示モジュール３を内側に収容できる大きさとされる。
【００２３】
本実施形態の表示装置１の作用について説明する。
表示装置１は、表示モジュール３および発光部材４に表示制御装置（図示略。以下同じ。）が接続されて用いられる。
表示制御装置は、表示装置１に表示画像を表示させる画像信号を表示モジュール３に供給する。例えば、図１（ａ）に示す表示画像の例では、中心部画像Ｉ３１としてはＳ字状の図柄が表示されている。周辺部画像Ｉ３２としては、中心部画像Ｉ３１と異なる色のベタ画像が表示されている。例えば、周辺部画像Ｉ３２の色が赤、中心部画像Ｉ３１の色が緑であるとする。
さらに、表示制御装置は、発光部材４の発光を制御する。例えば、表示制御装置は、表示画像における周辺部画像Ｉ３２が表示されている間、周辺部画像Ｉ３２と同様の色で、発光部材４を発光させる。例えば、表示制御装置は、周辺部画像Ｉ３２が赤のときは、発光部材４も赤色に発光させる。
図１（ｂ）に示すように、発光部材４は、表示制御装置で制御された色の光を表面部２ａの裏面に向けて放射する。
【００２４】
表示モジュール３および発光部材４は、表示板２の表面部２ａで覆われている。表示画面３ａに表示された中心部画像Ｉ３１および周辺部画像Ｉ３２から表面部２ａに向かって放射される光は、表面部２ａの裏側に中心部画像Ｉ３１および周辺部画像Ｉ３２を投影する。これらの画像光は、表示画面３ａと対向する表面部２ａを透過して外部に放射される。このため、表面部２ａには、表示モジュール３の表示画面３ａと略同様の大きさの矩形状の表示モジュール表示領域Ａ３が形成される。
発光部材４から表面部２ａに向かって放射される光は、表示モジュール３の側方を通過して、表面部２ａの裏面に照射される。このため、図１（ａ）に示すように、表示モジュール３の側面と側面部２ｂとの間の表面部２ａには、各発光部材４からの光によって表示が可能な発光部材表示領域Ａ４が形成される。表面部２ａは各発光部材４からの光を一部透過するため、発光部材表示領域Ａ４には、発色部Ｉ４１、Ｉ４２、Ｉ４３、Ｉ４４が形成される。
【００２５】
表示装置１の使用者が、表示装置１の外側から表面部２ａを見ると、表示モジュール表示領域Ａ３の画像を囲んで、発色部Ｉ４１、Ｉ４２、Ｉ４３、Ｉ４４が形成されている。周辺部画像Ｉ３２と、発色部Ｉ４１、Ｉ４２、Ｉ４３、Ｉ４４とは同様の色に見えるため、周辺部画像Ｉ３２と発色部Ｉ４１、Ｉ４２、Ｉ４３、Ｉ４４との境目が識別できなくなる。
このため、表示装置１に表示される表示画像は、表面部２ａの内側に拡がる円形の均一色（例えば、赤）の背景の中心部に背景の色とは異なる色（例えば、緑）の中心部画像Ｉ３１が位置するように見える。この結果、表面部２ａの内側に円形の表示モジュール３を有するのと同様な視覚効果が得られる。
このように、表示装置１によれば、表面部２ａの平面視の第１の外形と表示モジュール３の平面視の第２の外形とが異なっていても、表面部２ａの全体にわたる表示画像を表示することができるため、見栄えのよい表示が行える。
表示装置１によれば、表面部２ａの平面視の第１の外形に合わせる目的で高価な表示モジュールを用いる必要がないため、表示装置１の部品コストが低減される。
【００２６】
中心部画像Ｉ３１および周辺部画像Ｉ３２のいずれかの表示画像が切り替える場合、表示制御装置は、同様にして、周辺部画像Ｉ３２の色の変化に同期して、発光部材４を同様の色に発光させることができる。
すなわち、表示装置１を用いると、表示モジュール３おける周辺部（周辺部画像Ｉ３２）の表示色を切り替えることと、周辺部の表示色を切り替える際に、表示色に追従して発光部材４の発光色を切り替えることと、を備える、本実施形態の表示方法を行うことができる。
本実施形態の表示方法によれば、周辺部の表示を切り替える際に、表示モジュール３の周辺部の外縁から側面部２ｂまでの間の表示の色が、周辺部の表示色に追従して切り替わるため、表面部２ａの第１の外形全体にわたって、見栄えのよい表示が行える。
このため、表示モジュール３の第２の外形が表面部１２ａの第１の外形に合わせられてなくても、表面部２ａの全体を使用した動的な表示が行える。
【００２７】
（第２の実施形態）
次に、本発明の第２の実施形態の表示装置および遊技機について説明する。
図２は、本発明の第２の実施形態の遊技機の一例を示す模式的な斜視図である。図３は、本発明の第２の実施形態の遊技機の主要部の内部構造を示す模式的な斜視図である。図４は、図３におけるＢ矢視図である。図５は、本発明の第２の実施形態の表示装置の模式的な斜視分解図である。図６は、図４におけるＣ−Ｃ断面図である。
【００２８】
図２に示す本実施形態の回胴式遊技機１００は、本実施形態の表示装置を備える遊技機の一例である。
回胴式遊技機１００は、前面扉５２を開閉可能に軸支するキャビネット５１を有する。キャビネット５１には、液晶表示装置５３と、表示窓５４と、張出部５５と、腰部パネル５６と、メダル払出口５７とが、配されている。
張出部５５の上面には、ＭＡＸ−ＢＥＴボタン５８と、メダル投入口５９とが配されている。張出部５５の前面には、スタートレバー６０と、左停止ボタン１１Ａと、中停止ボタン１１Ｂと、右停止ボタン１１Ｃとが配されている。
【００２９】
回胴式遊技機１００は、キャビネット５１内に、左リールユニット６４と、中リールユニット６５と、右リールユニット６６と、を有している。
図３に、回胴式遊技機１００の内部の様子を示すように、左リールユニット６４、中リールユニット６５、および右リールユニット６６は、それぞれ回転可能なリール６７を有する。各リール６７を外周面には、周方向に複数の図柄（図示略）が形成されている。
左リールユニット６４、中リールユニット６５、および右リールユニット６６における各リール６７の外周面は、周方向の一部が表示窓５４内に露出している。これにより、リール６７の図柄が、表示窓５４を通して外部から見えるようになっている。
【００３０】
回胴式遊技機１００は、例えば、ＭＡＸ−ＢＥＴボタン５８、スタートレバー６０、左停止ボタン１１Ａ、中停止ボタン１１Ｂ、右停止ボタン１１Ｃ等の操作部からの操作に応じて、装置動作を制御する制御ユニット７０を有している。制御ユニット７０は、少なくとも、上記第１の実施形態における表示制御装置と同様の構成が含まれている。
例えば、回胴式遊技機１００においては、スタートレバー６０が操作されると、制御ユニット７０は、左リールユニット６４、中リールユニット６５、および右リールユニット６６における各リール６７を回転させる。
例えば、左停止ボタン１１Ａが操作されると、制御ユニット７０は、左リールユニット６４のリール６７の回転を停止する。同様にして、中停止ボタン１１Ｂが操作されると中リールユニット６５のリール６７が、右停止ボタン１１Ｃが操作されると右リールユニット６６のリール６７が、それぞれ停止する。
【００３１】
回胴式遊技機１００においては、種々の演出のため、制御ユニット７０からの画像信号および制御信号に応じて、左停止ボタン１１Ａ、中停止ボタン１１Ｂ、および右停止ボタン１１Ｃに画像が表示できるようになっている。左停止ボタン１１Ａ、中停止ボタン１１Ｂ、および右停止ボタン１１Ｃは、後述するように、いずれも本実施形態の表示装置とも言える構成を備える。
図３に示すように、左停止ボタン１１Ａ、中停止ボタン１１Ｂ、および右停止ボタン１１Ｃは、張出部５５の前面においてスタートレバー６０の右側に配置された操作部外装６８から前方に突出している。操作部外装６８には、左停止ボタン１１Ａ、中停止ボタン１１Ｂ、および右停止ボタン１１Ｃをそれぞれの突出方向において進退可能に案内する開口６８ａ、６８ｂ、６８ｃが形成されている。
操作部外装６８上の左停止ボタン１１Ａ、中停止ボタン１１Ｂ、および右停止ボタン１１Ｃは、左リールユニット６４、中リールユニット６５、および右リールユニット６６の配列と同様に、左側から右側に向かってこの順に配列されている。
図４に、操作部外装６８の法線方向（矢印Ｂ参照）に沿って見た各停止ボタン１１の形状を示す。本実施形態の説明では、上記第１の実施形態の説明と整合するように、特に断らない限りＢ矢視を平面視と言う。
【００３２】
左停止ボタン１１Ａ、中停止ボタン１１Ｂ、および右停止ボタン１１Ｃは、停止操作の対象と配置位置とが異なる以外は、いずれも同様な構成を備える。そこで、左停止ボタン１１Ａ、中停止ボタン１１Ｂ、および右停止ボタン１１Ｃを互いに区別する必要がない場合あるいは総称する場合には、簡単のため、停止ボタン１１と称する。以下では、各停止ボタン１１の構成を、主として右停止ボタン１１Ｃの例で説明する。
【００３３】
図５に示すように、右停止ボタン１１Ｃは、上記第１の実施形態における表示装置１の表示板２に代えて、ボタン押下部１２を備え、スイッチ１４および光拡散シート１３が追加されて構成される。本実施形態では、各停止ボタン１１は、上記第１の実施形態における基板５に代えて、基板１５上に配置されている。基板１５は、制御ユニット７０（図５では、図示略。以下同じ。）と電気的に接続されている。基板１５には、制御ユニット７０からの画像信号、制御信号を受信したり、スイッチ１４からの検出信号を制御ユニット７０に送信したりする電気回路が形成されている。
以下、上記第１の実施形態と異なる点を中心に説明する。
【００３４】
ボタン押下部１２は、板状の表面部１２ａと、表面部１２ａの外縁から表面部１２ａと交差する方向に延びる筒状の側面部１２ｂとを備える。
表面部１２ａは、上記第１の実施形態における表面部２ａと同様の第１の外形を有する板状部材である。図４、５に示す例では、表面部１２ａの第１の外形は円形である。
図４〜６に示すように、表面部１２ａは、上記第１の実施形態と同様にして基板１５上に配置された発光部材４を覆うように配置されている。図４に示すように、本実施形態では、発光部材４は、上記第１の実施形態と同様の平面視の位置に４個配置されている。
表面部１２ａは、透明材料の表面にハーフミラー処理が施されている。
【００３５】
側面部１２ｂは、停止ボタン１１においてボタン押下部１２の可動長さ以上の長さを有する。側面部１２ｂの延出方向における端部１２ｃは操作部外装６８に設けられた開口６８ｃを通して操作部外装６８の内部に挿入されている（図６参照）。
側面部１２ｂは、表面部１２ａと同様にハーフミラー処理が施されていてもよいし、可視光を透過しないように塗装されていてもよい。さらに側面部１２ｂは、表面部１２ａと異なる材料で形成されていてもよい。
【００３６】
図５、６に示すように、スイッチ１４は、表示モジュール３と対向する基板１５上に固定されている。
スイッチ１４は、ボタン押下部１２の押下を検知するメカニカルスイッチである。スイッチ１４は、検知部が内蔵されたスイッチ本体１４ｂと、スイッチ本体１４ｂから突出した軸状の作動部１４ａとを備える。スイッチ本体１４ｂの検出部は、基板１５における図示略の配線を介して、制御ユニット７０と電気的に接続されている。
作動部１４ａは、スイッチ本体１４ｂにおいて、基板１５の法線方向に進退可能に支持されている。作動部１４ａにおける延出方向の先端部は、表示モジュール３の裏側に当接している。
このように、本実施形態では、表示モジュール３は、スイッチ１４の作動部１４ａによって、基板１５の法線方向に進退可能に支持されている。
本実施形態における表示モジュール３からは画像信号等を伝達するケーブル３ｂが延ばされている。ケーブル３ｂは、基板１５上のコネクタ１６を介して、基板１５における図示略の配線を介して、図示略の制御ユニット７０と電気的に接続されている。
ケーブル３ｂは、柔軟性を有することがより好ましい。例えば、ケーブル３ｂは、ＦＰＣ（Flexible printed circuits）、ＦＦＣ（Flexible Flat Cable）などが用いられてもよい。
【００３７】
光拡散シート１３は、発光部材４が投影する光を拡散させる部材である。光拡散シート１３は、光拡散部材とも言える。
光拡散シート１３は、表面部１２ａと同様の外形を有している。光拡散シート１３は、ボタン押下部１２の側面部１２ｂの内側に挿入可能である。
光拡散シート１３の中心部には、表示モジュール３の表示画面３ａが露出可能な開口１３ａが厚さ方向に貫通している。
光拡散シート１３の材質は、発光部材４からの光が拡散して透過する適宜の材質が採用できる。例えば、光拡散シート１３は、透明なベース樹脂に拡散材が分散されて構成されてもよい。例えば、光拡散シート１３は、透明材料からなるシート部材の表面に微小な凹凸が形成されて構成されてもよい。例えば、光拡散シート１３は、透明材料からなるシート部材の表面に光拡散材が積層されて構成されてもよい。
【００３８】
図６に示すように、光拡散シート１３は、表面部１２ａの裏面に当接して配置されている。光拡散シート１３は、開口１３ａの端縁において、表面部１２ａと表示モジュール３の外縁部３ｃとの間に挟まれている。このため、図６における図示上側から見る（平面視）と、開口１３ａの内側には、表示モジュール３の表示画面３ａが露出している。ただし、光拡散シート１３は透過率が良好であれば、その一部が表示画面３ａと重なっていてもよい。
このような構成によれば、図４に示すように、右停止ボタン１１Ｃのボタン押下部１２の表面部１２ａには、上記第１の実施形態と同様に、表示画面３ａと対向する表示モジュール表示領域Ａ３と、各発光部材４からの光によって表示が可能な発光部材表示領域Ａ４とが形成される。図４における図示は省略するが、左停止ボタン１１Ａ、中停止ボタン１１Ｂも同様である。
【００３９】
本実施形態の停止ボタン１１の作用について上記第１の実施形態と異なる点を中心に説明する。各停止ボタン１１の作用は同様であるため、右停止ボタン１１Ｃの例で説明する。
回胴式遊技機１００の制御ユニット７０は、上記第１の実施形態における表示制御装置と同様にして、右停止ボタン１１Ｃに表示画像を表示させることができる。
右停止ボタン１１Ｃに表示する表示画像は、回胴式遊技機１００の操作に関する演出に応じて適宜の表示画像が採用できる。さらに、上記第１の実施形態と同様の表示方法を行うことにより、表示モジュール３の第２の外形が表面部１２ａの第１の外形に合わせられてなくても、表面部１２ａの全体を使用して動的に切り替えることができる。
【００４０】
発光部材４から放射される光は、光拡散シート１３によって拡散された後、表面部１２ａを透過する。このため、外部から見ると、光拡散シート１３の全体が一様に発光しているように見える。この結果、発光部材４の光源の形状が外部から視認されなくなり、複数の発光部材４からの光が照射されても、発光部材表示領域Ａ４の表示色が略均一になる。
表示モジュール３からの表示光は、光拡散シート１３の開口１３ａから表面部１２ａに入射するため、光拡散シート１３によって拡散されない。このため、表示画面３ａの表示画像がぼけることなく、外部から視認できる。
【００４１】
右停止ボタン１１Ｃの表示を行う場合には、制御ユニット７０が、上記第１の実施形態と同様に、表示モジュール表示領域Ａ３における周辺部の表示色と、発光部材表示領域Ａ４の表示色と同様の色に合わせる。このため、表面部１２ａには、表面部１２ａの内側に拡がる円形の均一色の背景の中心部に、背景の色とは異なる色の中心部画像が位置するように見える。この結果、表面部１２ａの内側に円形の表示モジュール３を有するのと同様な視覚効果が得られる。
【００４２】
このように、各停止ボタン１１によれば、表面部１２ａの平面視の第１の外形と表示モジュール３の平面視の第２の外形とが異なっていても、表面部２ａの全体にわたる表示画像を表示することができるため、見栄えのよい表示が行える。このため、表示モジュール３の第２の外形が表面部１２ａの第１の外形に合わせられてなくても、表面部１２ａの全体を使用した表示が行える。
【００４３】
さらに本実施形態では、光拡散シート１３は、表示モジュール３の外縁部３ｃを覆っている。このため、表示モジュール表示領域Ａ３の周辺部と発光部材表示領域Ａ４との境界が円滑につながっているように見える。このように境界が見えなくなるため、表示画像の品位が向上し、見栄えのする表示が可能である。
本実施形態では、表面部１２ａがハーフミラーになっている。このため、表示モジュール３および発光部材４が発光すると、表面部１２ａを透過して、それぞれの表示画像が外部から視認される。ただし、表示モジュール３および発光部材４の発光を停止されて内部が暗い状態になると、外部光が表面部１２ａの表面で反射されるため、右停止ボタン１１Ｃの内部構造が外部から視認できなくなる。このため、右停止ボタン１１Ｃにおける表示画像が表示モジュール３と発光部材４との組み合わせによって表示されていることを使用者に知られずに済む。
【００４４】
（第３の実施形態）
次に、本発明の第３の実施形態の表示装置および遊技機について説明する。
図７は、本発明の第３の実施形態の表示装置の一例を示す模式的な平面図である。
【００４５】
図２に示す本実施形態の回胴式遊技機１０１は、本実施形態の表示装置を備える遊技機の一例である。
回胴式遊技機１０１は、上記第２の実施形態における停止ボタン１１に代えて、停止ボタン２１を備える。
以下、上記第１の実施形態と異なる点を中心に説明する。
【００４６】
停止ボタン２１は、上記第２の実施形態における停止ボタン１１の発光部材４の個数と平面視の配置位置とが異なる。このため、停止ボタン２１は本実施形態の表示装置とも言える。
本実施形態における発光部材４は、表面部１２ａの中心と同心の一円周上に５個以上配置されている。発光部材４の周方向における配列ピッチは、等ピッチでもよいし、不等ピッチでもよい。図７に示す例では、発光部材４の個数は、１２個、周方向の配列ピッチは、等ピッチの場合が図示されている。
本実施形態の制御ユニット７０は、これらの発光部材４をそれぞれ独立に発光させることができる。
【００４７】
このような停止ボタン２１によれば、例えば、制御ユニット７０によって、各発光部材４を同色で発光させることにより、上記第２の実施形態と同様の表示が可能である。
このため、停止ボタン２１によれば、上記第１の実施形態と同様に、表面部１２ａの平面視の第１の外形と表示モジュール３の平面視の第２の外形とが異なっていても、表面部１２ａの全体にわたる表示画像を表示することができるため、見栄えのよい表示が行える。
特に,本実施形態では、発光部材４の配列ピッチがより細かくなっているため、発光部材表示領域Ａ４における周方向における明るさのムラがより低減される。
【００４８】
さらに、本実施形態の停止ボタン２１によれば、発光部材表示領域Ａ４を、各発光部材４の配置領域に対応する表示領域ごとに発色を変えることができる。このため、停止ボタン２１は、上記第１の実施形態よりも複雑で見栄えのする表示画像を表示することができる。
例えば、制御ユニット７０は、表示モジュール表示領域Ａ３の適宜の中心部画像Ｉ３３を表示させる。図７では一例として、円形の中心部画像Ｉ３３が図示されている。しかし中心部画像Ｉ３３は円形には限定されない。
制御ユニット７０は、中心部画像Ｉ３３の外側において、表示モジュール３の中心と各発光部材４の配置中心とを結ぶ軸線を中心とする放射状の領域に、それぞれ周辺部画像Ｉ３４を表示させる。ただし、互いに周方向に隣り合う周辺部画像Ｉ３４同士が識別できるように、表示色は、互いに異なる色とする。
制御ユニット７０は、このようなパターンの画像を表示モジュール３に表示させるとき、これらの周辺部画像Ｉ３４の径方向外側に位置する発光部材４の発光色を、径方向内側の周辺部画像Ｉ３４の表示色と同様の発光色とする。
このような表示制御によれば、径方向に隣り合う周辺部画像Ｉ３４と発光部材４による同様の色の発光領域とは境界が視認できない。このため、表面部１２ａには、中心部画像Ｉ３３と、中心部画像Ｉ３３から径方向外側に延び、周方向において表示色が変化する放射線状の背景画像が投影される。
【００４９】
この背景画像は、表示色を周方向において段階的に変化させるグラデーションパターンで構成されてもよい。あるいは、この背景画像は、表示色を周方向において対照的に変化させて縞状であることを強調するパターンで構成されてもよい。例えば、この背景画像の表示色は、虹の配色パターンなどの適宜の配色パターンで変化していてもよい。例えば、この背景画像の表示色は、補色のように差異が目立ち易い２色が選ばれてもよい。
さらに、この背景画像は、隣り合う複数を同色で表示することによって、放射状のパターンの太さ（表示面積）が変更されてもよい。
制御ユニット７０は、このような背景画像の表示パターンを動的に変化させてもよい。例えば、制御ユニット７０は、各放射状領域の背景画像の表示色を順次切り替えてもよい。この場合、背景画像が回転したり、波打ったり（ウェーブ効果）する印象が得られる。  
【００５０】
このように、停止ボタン２１によれば、小型の表示モジュール３を用いるだけで、より大きな形状の表面部１２ａ内で、静的にも、動的にもより複雑な背景画像を表示できる。このため、簡素な構成であっても、回胴式遊技機１０１の操作部の表示において、見栄えのする種々の演出が行える。
【００５１】
（第４の実施形態）
次に、本発明の第４の実施形態の表示装置および遊技機について説明する。
図８は、本発明の第４の実施形態の表示装置の一例を示す模式的な平面図である。
【００５２】
図２に示す本実施形態の回胴式遊技機１０２は、本実施形態の表示装置を備える遊技機の一例である。
回胴式遊技機１０２は、上記第２の実施形態における左停止ボタン１１Ａ、中停止ボタン１１Ｂ、右停止ボタン１１Ｃに代えて、左停止ボタン３１Ａ、中停止ボタン３１Ｂ、右停止ボタン３１Ｃを備える。
以下、上記第１の実施形態と異なる点を中心に説明する。
【００５３】
左停止ボタン３１Ａ、中停止ボタン３１Ｂ、および右停止ボタン３１Ｃは、停止操作の対象と配置位置とが異なるのみでいずれも同様な構成を備える。そこで、上記第１の実施形態と同様に、左停止ボタン３１Ａ、中停止ボタン３１Ｂ、および右停止ボタン３１Ｃを互いに区別する必要がない場合あるいは総称する場合には、簡単のため、停止ボタン３１と称する。以下では、各停止ボタン３１の構成を、主として右停止ボタン３１Ｃの例で説明する。
各停止ボタン３１は、上記第２の実施形態の各停止ボタン１１と同様、表示装置とも言える。
【００５４】
図８に示すように、右停止ボタン３１Ｃは、上記第１の実施形態における右停止ボタン１１Ｃのスイッチ１４、光拡散シート１３に代えて、スイッチ部４０、光拡散シート３３を備える。
スイッチ部４０は、フォトセンサを用いてボタン押下部１２の押下を検知するスイッチである。スイッチ部４０は、透過型フォトセンサ３７、バネ３６、第１ガイド部材３５、および第２ガイド部材３４を備える。
【００５５】
透過型フォトセンサ３７は、発光素子と、発光素子に対向して発光素子からの光を検出する受光素子とを備える。透過型フォトセンサ３７は、基板１５上において、表示モジュール３と対向する位置に固定されている。
【００５６】
バネ３６は、表示モジュール３を基板１５上で弾性的に支持する。バネ３６の種類は特に限定されない。例えば、バネ３６は、圧縮コイルバネ、トーションバネ、板バネ、パンタグラフなどの構成が用いられてもよい。図８には、一例として、バネ３６が圧縮コイルバネの場合の例が図示されている。以下、図８に基づいて、バネ３６が圧縮コイルバネの場合の例で説明する。
バネ３６の内径は、透過型フォトセンサ３７が内部に挿入可能な大きさとされる。
バネ３６は、基板１５および表示モジュール３の少なくとも一方に固定されていてもよい。
【００５７】
第１ガイド部材３５は、バネ３６を内側に挿入可能な内径を有する筒状部材である。図８では、見易さのため、側面の一部が部分破断されている。ただし、発光部材４からの光が内部に照射されても支障ない場合には、第１ガイド部材３５の外形状は、図示のように、側面が切り欠かれた筒状でもよい。第１ガイド部材３５の外形は、表示モジュール３の平面視の外形よりも小さい。
第１ガイド部材３５は、基板１５上において、透過型フォトセンサ３７を囲むように固定されている。第１ガイド部材３５の基板１５からの高さは、右停止ボタン１１Ｃの最大押下位置において、表示モジュール３と接触しない高さとされる。
【００５８】
第１ガイド部材３５は、少なくとも外周表面が光反射性を有してもよい。例えば、第１ガイド部材３５の外周表面は白色あるいは光沢面で構成されてもよい。第１ガイド部材３５の外周表面が光反射性を有している場合、外周表面において発光部材４からの光を反射できるため、発光部材４からの光の光量損失を低減できる。このため、発光部材４によって表面部１２ａが効率的に照明される。
【００５９】
第２ガイド部材３４は、バネ３６の内側に挿入可能な外径を有する筒状部材である。第２ガイド部材３４の内径は、右停止ボタン１１Ｃの最大押下位置において、透過型フォトセンサ３７と干渉しない大きさとされる。
第２ガイド部材３４は、表示モジュール３の裏面の中心部に固定されている。第２ガイド部材３４の表示モジュール３からの高さは、右停止ボタン１１Ｃの最大押下位置において、表示モジュール３と接触しない高さとされる。
第２ガイド部材３４の内部には、右停止ボタン１１Ｃの押下位置を検出するための遮光板３４ａが形成されている。遮光板３４ａは、右停止ボタン１１Ｃが所定位置に押し下げられた際に、透過型フォトセンサ３７の検出光を遮る位置に形成されている。
【００６０】
スイッチ部４０は、第１ガイド部材３５の内部にバネ３６が挿入された状態で、第２ガイド部材３４がバネ３６の内部に挿入されて組み立てられている。第１ガイド部材３５、バネ３６、および第２ガイド部材３４は、基板１５の法線に沿う軸線上に同軸に配置されている。
このように、本実施形態では、表示モジュール３は、スイッチ部４０のバネ３６によって、基板１５の法線に沿って進退可能に支持されている。
【００６１】
光拡散シート３３は、上記第２の実施形態における光拡散シート１３と同様、発光部材４が投影する光を拡散させる部材である。光拡散シート３３は、光拡散部材とも言える。
光拡散シート３３の外周の形状は、上記第２の実施形態における光拡散シート１３の外形と同様に形成されている。
光拡散シート３３は、可視光を拡散させることなく透過する透明部３３ｂと、可視光を拡散させる光拡散部３３ａとを備える。光拡散部３３ａは、上記第２の実施形態における光拡散シート１３と同様の構成により、光拡散性を有している。
透明部３３ａは、光拡散シート１３における開口１３ａと同様の部位に形成される。
光拡散部３３ａは、透明部３３ｂの外周側に形成される。
【００６２】
右停止ボタン３１Ｃは、ボタン押下部１２の押下位置の検出をスイッチ部４０によって形成される点と、表示画面３ａからの表示光が光拡散シート３３の透明部３３ｂを通過して表面部１２ａに投影される点とにおいて、上記第２の実施形態と異なる。
このため、右停止ボタン３１Ｃによれば、表示画面３ａからの表示光が、透明部３３ｂの透過率に応じて減衰して表示される以外は、停止ボタン１１と同様にして、表面部１２ａに画像表示が行える。左停止ボタン３１Ａ、中停止ボタン３１Ｂも同様である。
【００６３】
このように、各停止ボタン３１によれば、表面部１２ａの平面視の第１の外形と表示モジュール３の平面視の第２の外形とが異なっていても、表面部２ａの全体にわたる表示画像を表示することができるため、見栄えのよい表示が行える。このため、表示モジュール３の第２の外形が表面部１２ａの第１の外形に合わせられてなくても、表面部１２ａの全体を使用した表示が行える。
【００６４】
特に本実施形態によれば、光拡散シート３３が開口を有しないシート部材で構成される。このため、例えば、光拡散シート３３が薄い場合、あるいは表示モジュール３が側面部１２ｂに略内接する場合のように開口率が高くなる場合でも、光拡散シート３３の取り扱いが容易である。
【００６５】
なお、上記第２〜第４の実施形態では、表示モジュールと表面部材との間に光拡散シートを挟むことによって、発光部材が投影する光を拡散する場合の例で説明した。光拡散部材は、シート部材には限定されない。
例えば、光拡散部材は、表面部材の一部に形成されていてもよい。例えば、光拡散部材は、表面部材の裏面側に形成された光拡散材層であってもよい。例えば、光拡散部材は、表面部材の裏面に微小な凹凸を形成して構成されてもよい。
【００６６】
上記第２〜第４の実施形態の説明では、各実施形態の表示装置の表示モジュールが、表面部材とともに移動する操作ボタンになっている場合の例で説明した。しかし、ボタン押下の操作が行われた場合に、表面部材のみが移動して表示モジュールが移動しない構成でもよい。
【００６７】
上記第２〜第４の実施形態の説明では、各実施形態の表示装置の表示モジュールが、表面部材とともに移動する操作ボタンになっており、表面部材の突出量が変化する場合の例で説明した。
しかし、例えば、メカニカルスイッチやフォトセンサの代わりに、例えば、メンブレンスイッチなどが用いられてもよい。この場合、メンブレンスイッチは作動距離が非常に小さいため、実質的に表面部材が移動しない構成とすることができる。
例えば、メカニカルスイッチやフォトセンサの代わりに、静電容量センサが用いられてもよい。この場合、表面部材が押圧方向において固定された操作ボタンが得られる。
【００６８】
上記第２〜第４の実施形態の説明では、各実施形態の表示装置が操作ボタンとして、停止ボタンに用いられる場合の例で説明した。しかし、各実施形態の表示装置は、遊技機において、停止ボタン以外の操作ボタンとして用いられてもよい。
【００６９】
上記第２〜第４の実施形態の説明では、各実施形態の表示装置が操作ボタンとして、遊技機に用いられた場合の例で説明した。しかし、これらの実施形態の表示装置は、遊技機以外の機械における表示装置として用いられてもよい。
【００７０】
上記第２〜第４の実施形態の説明では、各実施形態の表示装置が回胴式遊技機に用いられた場合の例で説明した。しかし、遊技機は回胴式遊技機には限定されない。例えば、各実施形態の表示装置は、回胴式遊技機以外の遊技機として、パチンコ遊技機、メダルゲームやプライズゲームといったアーケードゲーム機器などに用いられてもよい。さらに、各実施形態の表示装置は、遊技機以外の機器に用いられてもよい。例えば、各実施形態の表示装置は、自動販売機、自動車のインストルメント・パネル(インパネ)、電化製品などに用いられてもよい。
【００７１】
なお、本発明は上述の実施形態に限られるものではなく、本発明の趣旨を逸脱しない範囲において、構成の付加、省略、置換、およびその他の変更がなされてもよい。
例えば、上記第１の実施形態の表示装置１は、上記第２〜第４の実施形態の遊技機において、操作ボタン以外の表示装置として用いられてもよい。
例えば、上記第１の実施形態の表示装置１は、上記第２〜第４の実施形態の遊技機において、操作ボタン以外の操作部として用いられてもよい。操作ボタン以外の操作部としては、例えば、操作レバー、操作ハンドル、タッチセンサー内蔵の演出用ギミックなどが挙げられる。
例えば、上記第４の実施形態における光拡散シート３３は、上記第２の実施形態における光拡散シート１３に代えて用いられてもよい。
【符号の説明】
【００７２】
１  表示装置
２  表示板
２ａ、１２ａ  表面部（表面部材）
３  表示モジュール
３ａ  表示画面
４  発光部材
５、１５  基板
１１、２１、３１  停止ボタン（表示装置）
１１Ａ、３１Ａ  左停止ボタン（表示装置）
１１Ｂ、３１Ｂ  中停止ボタン（表示装置）
１１Ｃ、３１Ｃ  右停止ボタン（表示装置）
１２  ボタン押下部
１３、３３  光拡散シート（光拡散部材）
１４  スイッチ
４０  スイッチ部
６８  操作部外装
７０  制御ユニット
１００、１０１、１０２  回胴式遊技機（遊技機）
Ａ３  表示モジュール表示領域
Ａ４  発光部材表示領域
Ｉ３１、Ｉ３３  中心部画像
Ｉ３２、Ｉ３４  周辺部画像
Ｉ４１、Ｉ４２、Ｉ４３、Ｉ４４  発色部
【図１】
2018051091.tif 000003
【図２】
2018051091.tif 000004
【図３】
2018051091.tif 000005
【図４】
2018051091.tif 000006
【図５】
2018051091.tif 000007
【図６】
2018051091.tif 000008
【図７】
2018051091.tif 000009
【図８】
2018051091.tif 000010